(57)【特許請求の範囲】
【請求項１】
複数のＬＥＤと、該ＬＥＤが実装された基板と、前記ＬＥＤからの光を一方向に指向させるレンズと、入射面から入った該レンズからの光を面状に広げて前面に照射する導光板と、該導光板の前面に取り付けられた液晶パネルとを備えたエッジライト形のディスプレイ装置であって、
前記基板のＬＥＤ実装面と反対側に熱的に接触して取り付けられたヒートシンクと、前記ヒートシンクの両側に取り付けられたファンとを有し、
前記ヒートシンクのベース部は、前記基板が搭載される基板搭載面とフィン部とを備え、前記フィン部の中央部に冷却空気が流入するように流入口を構成し、
流入した前記冷却空気が前記ファンによって排出され、
前記ヒートシンクのベース部は、概略Ｌ字型形状であり、前記基板搭載面とフィン部が構成される面とが概略垂直であり、
前記冷却空気の給・排気面がディスプレイの画面表示側とは反対側かつ前記液晶パネルより下にあり、
前記ＬＥＤからの光は前記基板の上方へ出力され前記レンズを介して前記導光板へ入射し、前記ＬＥＤの熱は前記基板を介し下方の前記ヒートシンクへ放熱されることを特徴とするディスプレイ装置。
【請求項２】
請求項１記載のディスプレイ装置において、
前記ヒートシンクの端面部に風漏れ防止カバーを設けたことを特徴とするディスプレイ装置。
【請求項３】
請求項１記載のディスプレイ装置において、
前記ファンは、前記ヒートシンクの中央部付近に押し込み方向に冷却空気が流通するように取り付けられたことを特徴とするディスプレイ装置。
【請求項４】
請求項１記載のディスプレイ装置において、
前記ヒートシンクに構成される複数のフィンの形状は基板が搭載されるベース面に概略平行に配列された板状のフィン群であることを特徴とするディスプレイ装置。
【請求項５】
請求項１記載のディスプレイ装置において、
前記ヒートシンクに構成される複数のフィンの形状は基板が搭載されるベース面に概略平行に配列された柱状のフィン群であることを特徴とするディスプレイ装置。
【請求項６】
請求項１記載のディスプレイ装置において、
前記ファンは、ヒートシンクの両端部に吸出し方向に冷却空気が流通するように取り付けられた二つの回転数可変式ファンと、前記ＬＥＤまたは前記ＬＥＤが実装された基板にそれらの温度をモニタリングできる温度センサとを備え、異常時には、前記ＬＥＤの温度が適正になるように、ファンの回転数を制御できるように構成したことを特徴とするディスプレイ装置。
【発明の詳細な説明】
【技術分野】
【０００１】
本発明は、エッジライト形のバックライトとしてＬＥＤ等の発光源を用いた液晶パネル式ディスプレイ装置に関するものである。
【背景技術】
【０００２】
ＬＥＤ等を発行源として用いたエッジライト型バックライト方式の従来技術として例えば特許文献１がある。
【０００３】
図６は、特許文献１の図を引用したものである。  
図６において、ディスプレイ装置は光源である複数のＬＥＤ３１と、このＬＥＤ３１を実装するＬＥＤ基板３２を備えている。側面の入射面から入射した光源の光を前面の照射面から面光源とし照射する導光板３４とＬＥＤ３１とＬＥＤ基板３２及び導光板を収容する表示板ケース３７とを備え、ＬＥＤ基板３２の少なくとも一部が表示板ケース３７の内面と密着している。また、ＬＥＤ３１が導光板３４の側面の入射面に対向するように配設されている。
【０００４】
【特許文献１】特開２００５−３８７７１（第８頁、図２）
【発明の開示】
【発明が解決しようとする課題】
【０００５】
ディスプレイ装置などのバックライト用光源としてＬＥＤを使用する場合、ＬＥＤの特性上、輝度を確保するために電流を多く流すと、多くの熱が発生してその結果ＬＥＤは高温となってしまう。
【０００６】
従来のディスプレイ装置では、ＬＥＤの放熱が十分でないため発生熱によりＬＥＤが高温となり、光出力の低下や長期寿命を確保できないなどＬＥＤ自体の特性が損なわれる問題があった。このため、ＬＥＤ自体の特性維持のためには発熱を抑えるために電流値を下げなければならず、ディスプレイ装置のバックライトとして十分な光量を得ることができなかった。さらに、光量を得るためにＬＥＤの数を増やせば全体のＬＥＤの発熱量が増えるばかりでなく、その分コストが上昇するという問題があった。
【０００７】
また、複数のＬＥＤ間で温度差がある場合、それがＬＥＤの光出力ムラの原因となり、ひいてはディスプレイ装置の画面の輝度ムラとなって表れてしまう問題があった。
【０００８】
本発明の目的は、ＬＥＤなどの発光源での発熱を効率良く放熱し、ＬＥＤの性能を損なうことなく明るく、輝度ムラの少ないＬＥＤバックライト式ディスプレイ装置を提供することにある。
【課題を解決するための手段】
【０００９】
上記目的は、複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置において、前記基板の発光源実装面と反対側に熱的に接触して取り付けられたヒートシンクと、一つないし複数のファンとを備え、前記ヒートシンクのベース部は基板搭載面とフィン構成面を持ち、該フィン構成面が該基板搭載面と概略垂直であり、かつ、ベース部の該フィン構成面、並びに冷却空気の給・排気面がディスプレイの画面表示側とは反対側に構成されることにより達成される。
【００１０】
また、上記目的は、複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置において、前記基板の発光源実装面と反対側に熱的に接触して取り付けられたヒートシンクと、一つないし複数のファンとを備え、前記ヒートシンクのベース部は概略L字型形状であり、基板が搭載されるベース面とフィンが構成されるベース面とが概略垂直であり、かつ、ベース部のフィンが構成されるベース面、並びに冷却空気の給・排気面がディスプレイの画面表示側とは反対側に構成されることにより達成される。
【００１１】
また、上記目的は、複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置において、前記基板の発光源実装面と反対側に熱的に接触して取り付けられたヒートシンクと、該ヒートシンクの両端部に吸出し方向に冷却空気が流通するように取り付けられた二つのファンとを備え、該ヒートシンクへの冷却空気の流入口が該ヒートシンクの中央部付近に構成されるように、該ヒートシンクの端面部に風漏れ防止カバーを設けたことにより達成される。
【００１２】
また、上記目的は、複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置において、前記基板の発光源実装面と反対側に熱的に接触して取り付けられたヒートシンクと、該ヒートシンクの中央部付近に押し込み方向に冷却空気が流通するように取り付けられた一つないし複数のファンとを備え、該ヒートシンクからの冷却空気の排出口が該ヒートシンクの両端部付近に構成されるように、該ヒートシンクの端面部に風漏れ防止カバーを設けたことにより達成される。
【００１３】
また、上記目的は、複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置において、前記基板の発光源実装面と反対側に熱的に接触して取り付けられたヒートシンクと、一つないし複数のファンとを備え、前記ヒートシンクのベース部は概略L字型形状であり、基板が搭載されるベース面とフィンが構成されるベース面とが概略垂直であり、かつ、ベース部のフィンが構成されるベース面、並びに冷却空気の給・排気面がディスプレイの画面表示側とは反対側に構成されており、ベース部に構成される複数のフィンの形状は基板が搭載されるベース面に概略平行に配列された板状のフィン群であることにより達成される。
【００１４】
また、上記目的は、複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置において、前記基板の発光源実装面と反対側に熱的に接触して取り付けられたヒートシンクと、一つないし複数のファンとを備え、前記ヒートシンクのベース部は概略L字型形状であり、基板が搭載されるベース面とフィンが構成されるベース面とが概略垂直であり、かつ、ベース部のフィンが構成されるベース面、並びに冷却空気の給・排気面がディスプレイの画面表示側とは反対側に構成されており、ベース部に構成される複数のフィンの形状は基板が搭載されるベース面に概略平行に配列された柱状のフィン群であることにより達成される。
【００１５】
また、上記目的は、複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置において、前記基板の発光源実装面と反対側に熱的に接触して取り付けられたヒートシンクと、該ヒートシンクの両端部に吸出し方向に冷却空気が流通するように取り付けられた二つの回転数可変式ファンとを備え、該ヒートシンクへの冷却空気の流入口が該ヒートシンクの中央部付近に構成されるように、該ヒートシンクの端面部に風漏れ防止カバーを設け、前記発光源または前記発光源が実装された基板にそれらの温度をモニタリングできる温度センサを設け、異常時には、前記発光源の温度が適正になるように、ファンの回転数を制御できるように構成したことにより達成される。
【発明の効果】
【００１６】
本発明によれば、ＬＥＤなどの発光源での発熱を効率良く放熱し、ＬＥＤの性能を損なうことなく明るく、輝度ムラの少ないＬＥＤバックライト式ディスプレイ装置を提供できる。
【発明を実施するための最良の形態】
【００１７】
以下、図１、図２、図３、図４を用いて第一の実施例を説明する。  
【実施例１】
【００１８】
ＬＥＤは近年、発光効率が上昇し、色再現性の良い液晶ディスプレイ用のバックライト光源として注目され、パーソナルコンピュータのディスプレイ用、液晶テレビジョン用など多方面で開発が行われている。しかし、現時点では現状の大多数のバックライト方式である蛍光冷陰極管方式に比べて発光効率が低く、同じ輝度を得るためには大きな電流が必要である。そのためＬＥＤでの熱損失、つまり発熱量が大きくなってしまうという問題点がある。  
本発明は、このＬＥＤの発熱を効率良く周囲空気に放熱する構造を実現するものである。
【００１９】
図１は、本発明の第一の実施例を備えたディスプレイ装置の背後からの内部斜視図である。  
図１において、発光源である多数のＬＥＤ１は、基板２上に横一列に実装されている。ここで、ＬＥＤ１は白色の単色ＬＥＤでも、Ｒ、Ｇ、Ｂ個別のＬＥＤを混色することにより白色を実現するＬＥＤであっても良い。ただし、ディスプレイの色再現性を良くするためには、Ｒ、Ｇ、Ｂ個別に発光量を調整可能な３色ＬＥＤの混載が有利である。これらのＬＥＤ１はサブマウントを介して装着するか直接基板２に実装されている。ＬＥＤ１の実装の形態は、ＬＥＤの熱を良好に基板２に伝えるためには半田付け、接着、半田ボール接合などが考えられる。基板２の材質は、紙フェノール基板、ガラスエポキシ基板、アルミニウム、銅等の金属基板、セラミック基板等であるが、この内、ＬＥＤ１の発熱による高温化を防止するためには熱伝導性の良いアルミニウム、銅等の金属基板か、セラミック基板等が望ましい。
【００２０】
ＬＥＤ１と基板２との間には、前述のように熱的・機械的な接合以外に、電気的な信号や電流を供給するための配線が接続される。基板２には制御回路や電源と基板２を接続するためのコネクタ３が実装されている。
【００２１】
ＬＥＤ１と基板２の上部には、ＬＥＤ１からの光を一方向に指向させるレンズ４が搭載される。レンズ４からの光は、導光板を内蔵した液晶パネル５の側面の入射面から入り、光を面状に広げて前面に照射する。レンズ４や導光板の材質は、アクリルやポリカーボネート等の透明樹脂であることが望ましい。液晶パネル５の内部では、導光板の前面に液晶板が取り付けられていて、エッジライト形バックライト方式の液晶ディスプレイ装置を構成している。レンズ４の出射面以外の面には、一方向に光を出射させるための反射膜が塗布されるか、あるいは反射板が取り付けられている。導光板には、入射した光を面内で均一に前方に照射するために、各種の光学パターンが構成されている。また、液晶パネル５の背面には、制御基板１２と電源１３が取り付けられている。本実施例のディスプレイ装置の画面は、矢印１４の方向から観察する構成である。
【００２２】
このように、ＬＥＤ１からの光は上方に出て行く一方、ＬＥＤ１の熱は基板２を介して下方に放熱される構成となっている。具体的には、基板２に熱的に接触してヒートシンク６が取り付けられ、ヒートシンク６の両端部には冷却空気をヒートシンク６内に通風させるためのファン７が１台ずつ取り付けられている。さらに、ヒートシンク６の側面には、中央部の空気の流入口と両端のファン取り付け部を残して風漏れ防止カバー８が取り付けられている。
【００２３】
本実施例では、ファン７は両者ともヒートシンク６からの空気を吸い出す方向に取り付けられている。冷却空気は、ヒートシンク６の中央部に設けられた流入口から矢印９のように流入し、矢印１０に示すように二つの方向に分岐し、ヒートシンク内を流通して熱を吸収し、両端部の二つのファン７から、矢印１１のように外部に排出される。ヒートシンク６の両側面にも風漏れ防止カバー８を取り付けているため、冷却空気のヒートシンク６への流入は中央部の流入口に集中される構成となっている。
【００２４】
また、ヒートシンク６の中央部付近から冷却空気が流入し、左右に分岐してヒートシンク６を冷却していく通風構成となっているため、温度が高くなりやすい中央部のＬＥＤ１を新鮮で温度の低い空気で冷却でき、左右に均一に冷却空気が流れていくので、ＬＥＤ１の温度を均一に冷却することが可能となる。さらに大型のファン７付きヒートシンク６により高性能で安定した冷却が実現でき、ＬＥＤの温度上昇を安定的に防止できる。
【００２５】
図２は、本発明の第一の実施例を備えたディスプレイ装置を背後からの内部分解斜視図である。  
尚、図１と同一番号は同一物であるので、その説明は省略する。  
図２において、本図に示すように、ＬＥＤ１が実装された基板２は、ヒートシンク６へ熱伝導グリース１５を介して熱的に良好に接触して取り付けられている。熱伝導グリース１５は基板２の裏面全面にわたって塗布されていることが望ましく、極力ボイドがないように塗布されると良い。基板２には取り付け用の穴１６が多数設けられており、この穴１６にネジ等を挿入してヒートシンク６に取り付けられる。また、熱伝導グリース１５の代わりに、熱伝導シートや接着剤を用いて基板２をヒートシンク６に取り付けても良い。
【００２６】
風漏れ防止カバー８によって構成される冷却空気の流入口の幅Ａは、ヒートシンク６のフィン高さＤ２の２倍程度にするのが好適である。ただし、２倍程度でない場合でも、本発明の効果が無くなる訳ではない。
【００２７】
図３は、本発明の第一の実施例を備えたディスプレイ装置に用いられるヒートシンク６の斜視図である。  
図３において、ヒートシンク６のベース部は概略L字型形状であり、基板が搭載されるベース面にはネジを取り付ける穴１８が設けられている。基板が搭載されるベース面の前面側から下方にＬ字型にベース部が延長されており、その延長されたベース部の後面側には、本実施例では平板状のフィン１７が多数設けられている。  
以上のように、基板が搭載されるベース面と平板フィン１７が構成されるベース面とが概略垂直になっている。また、平板フィン１７が構成されるベース面並びに冷却空気のヒートシンク６への給・排気面はディスプレイの画面表示側とは反対側に構成されている。さらに、ベース部に構成される複数の平板フィン１７は基板が搭載されるベース面に概略平行に配列されている。
【００２８】
ヒートシンク６の材質は、熱伝導性の良い材質が良く、例えばアルミニウム又は銅又はそれらの合金であることが望ましい。  
ここで、ヒートシンクベース部の厚さＢ１およびＢ２は、アルミニウムの場合３〜５ｍｍが好適で、銅の場合は２〜３ｍｍが好適である。平板フィン１７の厚さＴは、アルミニウムの場合１ｍｍ前後が好適で、銅の場合０．５ｍｍ前後が好適である。平板フィン１７同士の隙間であるＧは、概ね２〜５ｍｍ程度が好適である。
【００２９】
図４は、本発明の第一の実施例を備えたディスプレイ装置を背後から見た装置斜視図である。  
図４において、図１に示すディスプレイ部品がディスプレイケース１９Ｂ内に収められている。ディスプレイ部品ならびにディスプレイケース１９Ｂは、スタンド２０に固定されて直立している。ディスプレイへの電力の供給は、スタンド２０に被せられたケーブルカバー２１を通過して外部に引き出された電源ケーブル２２により行われる。また、本発明のディスプレイがパーソナルコンピュータ用のディスプレイである場合には、パーソナルコンピュータから信号ケーブル２３によって映像信号を受ける。
【００３０】
ディスプレイケース１９Ｂには、図３に示したヒートシンク６の冷却空気流入口に合わせた位置に多孔部、グリル部、メッシュ部などで空気が流通できる通気部２４が設けられ、さらに図１に示したファン７からの排気をディスプレイケース１９Ｂの外部に排出するために、同様な通気部２５が設けられている。また、ディスプレイケース１９Ｂの上部には、ＬＥＤ以外の例えば図１に示した制御基板１２や電源１３の熱を外部に排気するための通気部２６が設けられている。
【００３１】
以上のような構成にすることにより、ＬＥＤ１で発生した熱は、基板２、熱伝導グリース１５、ヒートシンク６、冷却空気の順に熱輸送され、最終的にはディスプレイ装置の外部に排出される。  
ここで、冷却空気の流入部と排気部がディスプレイ背面にあるのでパーソナルコンピュータ用のディスプレイとして用いる場合でも、排気風や排気熱がパーソナルコンピュータのユーザに影響を及ぼしにくくなり、また、ファンから発生する騒音もユーザの耳に届きにくくなる。
【００３２】
また、以上のような構成にすることにより、ＬＥＤ等の発光源を用いたエッジライト型バックライト方式のディスプレイ装置として、ＬＥＤ等の発熱を効率良く放熱できるので、輝度が高く、かつ色再現性の高いバックライト装置、またはそれを用いたディスプレイ装置を実現できる。さらに、少ない数のＬＥＤでバックライト装置を実現できるので、低コストのバックライト装置、またはそれを用いたディスプレイ装置を実現できる。また、複数のＬＥＤ間での温度差を均一化することができるので、ＬＥＤ光出力のムラの少なくでき、ディスプレイ装置の画面の輝度ムラが少ないディスプレイ装置を実現できる。
【００３３】
ここまで、ファン７の搭載位置は、ヒートシンク６の両端部に一つずつ設けた例を説明してきたが、逆に、ヒートシンク６の中央部付近に押し込み方向に冷却空気が流通するようにファンを取り付けても良い。このときファンは、一つないし複数でも良い。このような構成とすると、ファン７によってヒートシンク６の中央部に押し込まれた冷却空気は、ヒートシンクを左右に分岐して流通し、ヒートシンク６の両端部付近に設けられた排出口を通して外部に排気される。このような構成とすることにより、ファンを１台で冷却できるようになり、コスト低減のメリットがある。
【００３４】
また、図１または図３に記載したファン７を回転数可変式のファンとし、ＬＥＤ１または基板２にそれらの温度をモニタリングできる温度センサを設け、ファンの１台停止など異常時には、ＬＥＤ１の温度が適正になるように、ファンの回転数を増速できるようにすると良い。そのような構成にすることにより、万一のファン故障時でもＬＥＤの温度を規定の温度以下に保つことができ、冗長性・信頼性の高いディスプレイ装置を実現できる。
【実施例２】
【００３５】
以下、図５を用いて第二の実施例を説明する。  
図５は、本発明の第二の実施例を備えたディスプレイ装置に用いられるヒートシンクの斜視図である。  
図５において、本実施例では、ヒートシンク６以外の構成は、本発明の第一の実施例と同様であり、ヒートシンク６内の違いは、ベース部に構成される複数のフィンの形状が柱状のピンフィン１９であることである。第一の実施例と同様に、ヒートシンク６の材質はアルミニウムか銅が良く、ピンフィン１９のピン径Ｐは０．５〜１．０ｍｍが好適である。また、ピンフィン１９は第一の実施例と同様に、基板が搭載されるベース面に概略平行に配列されている。
【００３６】
このように、第一と第二の実施例により、ピンフィン周りの高い熱伝達を利用して高性能なヒートシンク６を実現でき、より高性能で安定したＬＥＤの冷却が実現でき、ＬＥＤの温度上昇を安定的に防止し、高信頼なディスプレイシステムを実現できる。
【００３７】
以上のごとく、本発明はＬＥＤ等の発光源を用いたエッジライト型バックライト方式のディスプレイ装置として、ＬＥＤ等の発熱を効率良く放熱できるので、輝度が高く、かつ色再現性の高いバックライト装置、またはそれを用いたディスプレイ装置を実現できる。
【００３８】
さらに、少ない数のＬＥＤでバックライト装置を実現できるので、低コストのバックライト装置、またはそれを用いたディスプレイ装置を実現できる。また、複数のＬＥＤ間での温度差を均一化することができるので、ＬＥＤ光出力のムラの少なくでき、ディスプレイ装置の画面の輝度ムラが少ないディスプレイ装置を実現できる。また、ＬＥＤの温度レベルを低く保つことができるので、長期的な信頼性が高いディスプレイ装置を実現できる。さらに、万一のファン故障などにおいても、ＬＥＤの温度をモニタリングして残ったファンの回転数を増速して冷却性能を確保できるので、冗長性の高いディスプレイ装置を提供できる。
【００３９】
以上のごとく本発明は、前記課題を解決するために、本発明のディスプレイ装置は、複数の発光源と、該発光源が実装された基板と、発光源からの光を一方向に指向させるレンズと、側面の入射面から入った該レンズからの光を面状に広げて前面に照射する導光板と、該導光板の前面に取り付けられた液晶パネルとを備えたエッジライト形のディスプレイ装置を前提にして、
１．前記基板の発光源実装面と反対側に熱的に接触して取り付けられたヒートシンクと、一つないし複数のファンとを備え、前記ヒートシンクのベース部は基板搭載面とフィン構成面を持ち、該フィン構成面が該基板搭載面と概略垂直であり、かつ、ベース部の該フィン構成面、並びに冷却空気の給・排気面がディスプレイの画面表示側とは反対側に構成したものである。
２．前記基板の発光源実装面と反対側に熱的に接触して取り付けられたヒートシンクと、一つないし複数のファンとを備え、前記ヒートシンクのベース部は概略L字型形状であり、基板が搭載されるベース面とフィンが構成されるベース面とが概略垂直であり、かつ、ベース部のフィンが構成されるベース面、並びに冷却空気の給・排気面がディスプレイの画面表示側とは反対側に構成したものである。
３．前記基板の発光源実装面と反対側に熱的に接触して取り付けられたヒートシンクと、該ヒートシンクの両端部に吸出し方向に冷却空気が流通するように取り付けられた二つのファンとを備え、該ヒートシンクへの冷却空気の流入口が該ヒートシンクの中央部付近に構成されるように、該ヒートシンクの端面部に風漏れ防止カバーを設けたものである。
４．前記基板の発光源実装面と反対側に熱的に接触して取り付けられたヒートシンクと、該ヒートシンクの中央部付近に押し込み方向に冷却空気が流通するように取り付けられた一つないし複数のファンとを備え、該ヒートシンクからの冷却空気の排出口が該ヒートシンクの両端部付近に構成されるように、該ヒートシンクの端面部に風漏れ防止カバーを設けたものである。
５．前記基板の発光源実装面と反対側に熱的に接触して取り付けられたヒートシンクと、一つないし複数のファンとを備え、前記ヒートシンクのベース部は概略L字型形状であり、基板が搭載されるベース面とフィンが構成されるベース面とが概略垂直であり、かつ、ベース部のフィンが構成されるベース面、並びに冷却空気の給・排気面がディスプレイの画面表示側とは反対側に構成されており、ベース部に構成される複数のフィンの形状は基板が搭載されるベース面に概略平行に配列された板状のフィン群としたものである。
６．前記ヒートシンクのベース部は概略L字型形状であり、基板が搭載されるベース面とフィンが構成されるベース面とが概略垂直であり、かつ、ベース部のフィンが構成されるベース面、並びに冷却空気の給・排気面がディスプレイの画面表示側とは反対側に構成されており、ベース部に構成される複数のフィンの形状は基板が搭載されるベース面に概略平行に配列された柱状のフィン群としたものである。
７．前記基板の発光源実装面と反対側に熱的に接触して取り付けられたヒートシンクと、該ヒートシンクの両端部に吸出し方向に冷却空気が流通するように取り付けられた二つの回転数可変式ファンとを備え、該ヒートシンクへの冷却空気の流入口が該ヒートシンクの中央部付近に構成されるように、該ヒートシンクの端面部に風漏れ防止カバーを設け、前記発光源または前記発光源が実装された基板にそれらの温度をモニタリングできる温度センサを設け、異常時には、前記発光源の温度が適正になるように、ファンの回転数を制御できるようにしたものである。
【図面の簡単な説明】
【００４０】
【図１】本発明の第一の実施例を備えたディスプレイ装置を背後から見た内部斜視図である。
【図２】本発明の第一の実施例を備えたディスプレイ装置を背後から見た内部分解斜視図である。
【図３】本発明の第一の実施例を備えたディスプレイ装置に用いられるヒートシンクの斜視図である。
【図４】本発明の第一の実施例を備えたディスプレイ装置を背後から見た装置斜視図である。
【図５】本発明の第二の実施例を備えたディスプレイ装置に用いられるヒートシンクの斜視図である。
【図６】従来の表示装置の断面図である。
【符号の説明】
【００４１】
１…ＬＥＤ、２…基板、３…コネクタ、４…レンズ、５…液晶パネル、６…ヒートシンク、７…ファン、８…風漏れ防止カバー、９…矢印、１０…矢印、１１…矢印、１２…制御基板、１３…電源、１４…矢印。
【図１】
0004830436.tif 000002
【図２】
0004830436.tif 000003
【図３】
0004830436.tif 000004
【図４】
0004830436.tif 000005
【図５】
0004830436.tif 000006
【図６】
0004830436.tif 000007